(57)【要約】      （修正有）【課題】妨害波が混入した場合でも適切なゲイン制御をおこなう。【解決手段】ＲＦアンプ１１により増幅されたＲＦ信号が、周波数変換部１２でＩＦ周波数に変換されＩＦアンプ１５によって増幅される受信装置１において、ＡＤＣ２１によってデジタル変換されたＩＦアンプ１５の出力信号が復調部２００に入力する。ＡＤＣ２１の出力はまた、デジタルフィルタ２２によって希望波に濾波され、復調部２００に入力する。復調部２００では、受信電力の算出と、妨害波の影響を示す受信品質の検出がおこなわれ、妨害波の影響がある場合、ＲＦアンプ１１とＩＦアンプ１５のゲイン割合を制御する。この場合において、ゲイン割合を能動的に変更してから受信品質の検出をおこなう。また、アナログフィルタ１４を一時的に広帯域特性に切り替えることで、妨害波の有無を検出する。【選択図】図６
2015201890.tif 000002
【特許請求の範囲】
【請求項１】
受信波を高周波数にて増幅する第１の増幅器と、
前記第１の増幅器の周波数帯から後段の周波数帯への周波数変換をおこなう周波数変換器と、
前記周波数変換器で周波数変換された信号を増幅する第２の増幅器と、
前記周波数変換器で周波数変換された信号を濾波する第１のフィルタと、
前記第２の増幅器で増幅された信号を濾波する第２のフィルタと、
前記第１のフィルタの帯域特性として、希望チャネルの周波数帯域分をカバーする第１の帯域特性と、該希望チャネルと隣接チャネルの一部を含む周波数帯域分をカバーする第２の帯域特性とを切り替える帯域切替手段と、を備える、
ことを特徴とする受信装置。
【請求項２】
前記第２の増幅器からの出力信号に基づいて前記受信装置の受信信号の電力を算出する電力算出手段を有し、前記第２の増幅器で増幅された信号を復調する復調器をさらに備え、
前記電力算出手段は、前記第１のフィルタの帯域特性が前記第２の帯域特性に切り替えられた後に、前記第２のフィルタによる濾波前の信号電力と、該第２のフィルタによる濾波後の信号電力とを算出する、
ことを特徴とする請求項１に記載の受信装置。
【請求項３】
前記復調器は、
妨害波の影響による前記受信信号の受信品質を検出する受信品質検出手段と、
前記電力算出手段が算出した電力と前記受信品質検出手段の検出結果とに基づいて、前記妨害波による影響を判別し、該妨害波による影響があると判別した場合に、前記第１の増幅器と前記第２の増幅器とのゲイン割合を制御するゲイン制御手段と、をさらに備える、
ことを特徴とする請求項２に記載の受信装置。
【請求項４】
前記ゲイン制御手段は、
前記受信品質検出手段による検出結果に基づいて、前記受信信号に妨害波の影響があると判別した場合には、前記第１の増幅器での歪み特性が向上するように前記ゲイン割合を制御する、
ことを特徴とする請求項３に記載の受信装置。
【請求項５】
前記受信品質検出手段は、前記復調器の入出力信号から、妨害波によって低下する事項の検出をおこない、
前記ゲイン制御手段は、前記受信品質検出手段が検出した事項によって受信品質が所定の閾値よりも低い場合に、前記ゲイン割合の制御をおこなう、
ことを特徴とする請求項３または４に記載の受信装置。
【請求項６】
前記復調器は、前記ゲイン割合を能動的に変更するゲイン変更手段をさらに備え、
前記ゲイン制御手段は、前記ゲイン変更手段が前記ゲイン割合を変更した後に、前記妨害波による影響を判別する、
ことを特徴とする請求項３乃至５のいずれか１項に記載の受信装置。
【請求項７】
前記第１の増幅器のゲインを複数段設定したゲインステートテーブルを格納する記憶手段をさらに備え、
前記ゲイン制御手段、及び／又は、前記ゲイン変更手段は、前記記憶手段に格納された前記ゲインステートテーブルに基づいて、前記第１の増幅器のゲインを決定する、
ことを特徴とする請求項６に記載の受信装置。
【請求項８】
受信波を高周波数にて増幅する第１の増幅器と、
前記第１の増幅器の周波数帯から後段の周波数帯への周波数変換をおこなう周波数変換器と、
前記周波数変換器で周波数変換された信号を増幅する第２の増幅器と、
前記周波数変換器で周波数変換された信号を濾波する第１のフィルタと、
前記第２の増幅器で増幅された信号を濾波する第２のフィルタと、
を備える受信装置を制御するコンピュータを、
前記第１のフィルタの帯域特性として、希望チャネルの周波数帯域分をカバーする第１の帯域特性と、該希望チャネルと隣接チャネルの一部を含む周波数帯域分をカバーする第２の帯域特性とを切り替える帯域切替手段、
として機能させることを特徴とするプログラム。
【発明の詳細な説明】
【技術分野】
【０００１】
本発明は、受信装置、および、プログラムに関し、特に、デジタル放送の受信に好適な受信装置、および、プログラムに関する。
【背景技術】
【０００２】
地上デジタル放送などのデジタル放送の受信装置においては、受信した高周波信号を復調周波数に周波数変換して復調をおこなうが、この場合の復調回路への入力信号を一定に保つためにゲイン制御（ＡＧＣ：Automatic Gain Control）がおこなわれる。
【０００３】
デジタル放送などの受信装置では、放送周波数帯を増幅させるＲＦ（Radio Frequency：放送周波数）アンプと、ＲＦアンプの出力を濾波するフィルタと、フィルタからの出力を復調回路への出力周波数で増幅するＩＦ（Intermediate Frequency：中間周波数）アンプなどを主要構成としたアナログ回路（いわゆる、ＲＦ回路）を前段とし、このような前段回路からの出力がデジタル信号に変換され、デジタル処理をおこなう復調回路で復調することが一般的である。
【０００４】
このような回路構成の場合、ＲＦ回路におけるＲＦアンプとＩＦアンプそれぞれのゲイン制御をおこなうことにより、復調回路への入力信号を一定にさせるゲイン制御が実現されている。この場合において、ＲＦアンプのゲイン制御はＲＦ回路がおこない、ＩＦアンプのゲイン制御は復調回路がおこなうことがある。
【０００５】
ゲイン制御をＲＦアンプとＩＦアンプで独立しておこなっている場合、ＩＦアンプのゲイン制御の追従性に起因する性能劣化が生じることがある。例えば、携帯型の受信装置の場合に、弱電界でＲＦアンプとＩＦアンプが共に高ゲインで動作している状態で強電界のポイントへ移動した場合、ＲＦアンプではゲインを下げるよう制御されるが、これとは独立に制御されるＩＦアンプは高ゲインで動作したままの状態となるため、ＩＦアンプの出力信号が歪んでしまう。
【０００６】
さらに、アナログ回路であるＲＦ回路によってＲＦアンプのゲイン制御をおこなっているため、温度特性や妨害波などの影響を考慮したマージンを含んだ制御となるため、最大限の性能を活かしたゲイン制御をおこなえないという不都合もある。
【０００７】
このような問題に対し、ＲＦゲインとＩＦゲインの双方を一括して制御する方法がある（例えば、特許文献１）。このような一括制御によってＲＦゲインとＩＦゲインの分配を適宜変更することができる。ここで、ＲＦゲインとＩＦゲインの分配は受信品質に影響する。例えば、ＩＦゲインの分配を多くすると、歪み特性は向上するが受信感度が低下する。一方、ＲＦゲインの分配を多くすると、受信感度は向上するが歪み特性は低下する。
【０００８】
このような受信装置を、例えば、携帯電話などのような移動体に適用した場合、マルチパスフェージングや隣接チャンネルの妨害波の影響を受けやすく、受信品質が細かく変動する。したがって、このような受信品質の変動をゲイン制御に反映することができれば、より適切なゲイン制御をおこなうことができる。
【先行技術文献】
【特許文献】
【０００９】
【特許文献１】特開２００２−２８０８５２号公報
【発明の概要】
【発明が解決しようとする課題】
【００１０】
本発明は、上記実状を鑑みてなされたものであり、受信品質に応じた適切なゲイン制御を実現できる受信装置、および、プログラムを提供することを目的とする。
【課題を解決するための手段】
【００１１】
上記目的を達成するため、本発明の第１の観点にかかる受信装置は、
受信波を高周波数にて増幅する第１の増幅器と、
前記第１の増幅器の周波数帯から後段の周波数帯への周波数変換をおこなう周波数変換器と、
前記周波数変換器で周波数変換された信号を増幅する第２の増幅器と、
前記周波数変換器で周波数変換された信号を濾波する第１のフィルタと、
前記第２の増幅器で増幅された信号を濾波する第２のフィルタと、
前記第１のフィルタの帯域特性として、希望チャネルの周波数帯域分をカバーする第１の帯域特性と、該希望チャネルと隣接チャネルの一部を含む周波数帯域分をカバーする第２の帯域特性とを切り替える帯域切替手段と、を備える、
ことを特徴とする。
【発明の効果】
【００１２】
本発明によれば、受信品質に応じた適切なゲイン制御をおこなえる受信装置を実現することができる。
【図面の簡単な説明】
【００１３】
【図１】本発明の実施形態１にかかる受信装置の構成を示すブロック図である。
【図２】図１に示した復調部によって実現される機能ブロック図である。
【図３】本発明の実施形態１にかかる「ゲイン制御処理（１）」を説明するためのフローチャートである。
【図４】図３に示す「ゲイン制御処理（１）」で用いられるデータを説明するための図であり、（ａ）はＲＦゲインとＩＦゲインの分配比率と特性の例を示し、（ｂ）はＲＦゲインについてのゲインステートテーブルの例を示す。
【図５】本発明の実施形態２にかかる「ゲイン制御処理（２）」を説明するためのフローチャートである。
【図６】本発明の実施形態３にかかる受信装置の構成を示すブロック図である。
【図７】本発明の実施形態３を説明するための図であり、（ａ）は実施形態３にかかる復調部によって実現される機能構成を示した機能ブロック図であり、（ｂ）は通常フィルタの動作を模式的に示した図であり、（ｃ）は広帯域フィルタの動作を模式的に示した図である。
【図８】本発明の実施形態３にかかる「ゲイン制御処理（３）」を説明するためのフローチャートである。
【発明を実施するための形態】
【００１４】
本発明にかかる実施形態を、図面を参照して以下に説明する。
【００１５】
（実施形態１）
本発明の実施形態１にかかる受信装置１を、図１を参照して説明する。ここでは、本発明にかかる受信装置を、例えば、地上デジタル放送などのデジタル放送の受信に用いるための受信装置として構成した場合を例に以下説明する。図１は、実施形態１にかかる受信装置１の構成を示すブロック図である。
【００１６】
図示するように、本実施形態にかかる受信装置１は、高周波（ＲＦ：Radio Frequency）である放送波の受信をおこなうＲＦ回路部１０と、受信した信号を復調して放送コンテンツの再生信号を得る復調回路部２０とから構成される。
【００１７】
ＲＦ回路部１０は、図１に示すように、ＲＦアンプ１１、周波数変換部１２、ローカル発振器１３、アナログフィルタ１４、ＩＦアンプ１５、などから構成されている。
【００１８】
ＲＦアンプ１１は、アンテナ（不図示）などで受信された放送電波の受信信号（ＲＦ：Radio Frequency）を増幅する増幅器（第１の増幅器）であり、本実施形態では、ゲイン（利得）制御可能な可変利得増幅器（ＶＧＡ：Variable Gain Amplifier）であるものとする。
【００１９】
周波数変換部１２は、例えば、アナログ乗算器などのミキサ回路から構成され、ＲＦアンプ１１で増幅された信号の周波数と、ローカル発振器１３からのローカル周波数とを混合することで、ＲＦアンプ１１の出力周波数を、ＲＦ帯域から後段の周波数帯域に変換する。本実施形態では、ＲＦ帯域からＩＦ（Intermediate Frequency：中間周波数）帯域への周波数変換をおこなうものとする。
【００２０】
アナログフィルタ１４は、例えば、ローパスフィルタ（ＬＰＦ：Low-Pass Filter）などのアナログフィルタであり、周波数変換部１２のＩＦ出力信号を濾波することで不要波を減衰させる。
【００２１】
ＩＦアンプ１５は、例えば、ＲＦアンプ１１と同様のＶＧＡ（可変利得増幅器）などから構成される増幅器（第２の増幅器）であり、アナログフィルタ１４で濾波された信号を、復調部２００へ出力する周波数で増幅する。本実施形態では、周波数変換部１２によってＩＦ周波数帯に周波数変換されているので、ＩＦ帯域の周波数で増幅する。
【００２２】
また、復調回路部２０は、図１に示すように、ＡＤＣ２１、デジタルフィルタ２２、記憶部２３、ＡＧＣ部２４、復調部２００、などから構成されている。
【００２３】
ＡＤＣ２１は、アナログ−デジタル変換器（Analog-Digital Converter：ＡＤＣ）であり、ＩＦアンプ１５によって増幅されたＩＦ帯域のアナログ信号をデジタル信号に変換し、復調にかかるデジタル信号処理に供する。
【００２４】
デジタルフィルタ２２は、ＡＤＣ２１によって変換されたデジタル信号を希望周波数帯にフィルタリング（濾波）するデジタルフィルタであり、例えば、ＤＬＰＦ（Digital Low-Pass Filter）などから構成される。
【００２５】
記憶部２３は、例えば、レジスタやＲＯＭ（Read Only Memory）、あるいは、その他の書換可能な記憶装置などから構成され、復調部２００によって実行される動作プログラムや復調部２００が使用するデータなどを格納する。
【００２６】
ＡＧＣ部２４は、受信装置１のＡＧＣ（自動ゲイン制御）にかかる動作をおこなうために、復調部２００からの制御信号に基づいて、ＲＦ回路部１０の各部を制御する。ＡＧＣ部２４には、例えば、デジタル−アナログ変換器（Digital-Analog Converter：ＤＡＣ）が含まれており、復調回路部２０の前段であるアナログのＲＦ回路部１０を、デジタルの復調部２００（詳細後述）が制御する際に、アナログ信号を必要とする構成に対しては、復調部２００によって生成された制御信号（デジタル信号）をアナログ信号に変換する。このようなアナログ制御信号の生成においては、必要に応じて、例えば、ＰＷＭ（Pulse Width Modulation：パルス幅変調）やＰＣＭ（Pulse Code Modulation：パルス符号変調）などの変調がおこなわれるものとする。
【００２７】
復調部２００は、例えば、ＤＳＰ（Digital Signal Processor）やＣＰＵ（Central Processing Unit：中央演算処理装置）などのデジタルプロセッサ（デジタル演算回路）などから構成され、ＡＤＣ２１によって変換されたデジタル信号を用いた処理をおこなう。
【００２８】
本実施形態では、図１に示すように、ＡＤＣ２１からの出力と、デジタルフィルタ２２からの出力が復調部２００に入力されるよう構成されているものとする。復調部２００は、記憶部２３に記録されている動作プログラムを実行することで各種機能を実現する。
【００２９】
本実施形態では、ＲＦアンプ１１およびＩＦアンプ１５のゲイン制御を復調部２００によっておこなう。復調部２００によって実現される機能のうち、ゲイン制御に必要となる機能を、図２を参照して以下に説明する。図２は、復調部２００によって実現される機能を示す機能ブロック図である。
【００３０】
図示するように、復調部２００により、受信電力算出機能２１０、復調機能２２０、受信品質検出機能２３０、ゲイン制御機能２４０、などが実現される。なお、本実施形態では、ＤＳＰやＣＰＵなどのようなプロセッサ内でこれらの機能が統合的に実現されるものとするが、上記各機能にかかる動作に特化した専用のハードウェアによってこれらの機能が実現されていてもよい。
【００３１】
受信電力算出機能２１０は、ＡＤＣ２１によって変換されたデジタル信号の信号電力を測定し、受信装置１における受信電力を算出する。ここで、受信電力算出機能２１０による電力測定の方法は任意であり、例えば、信号を電力に変換して区間内平均にて求める方法や、振幅の確率密度分布から閾値を超える割合を求めて変換する方法などといった既知の技術を用いることができる。
【００３２】
受信電力算出機能２１０は、このようにして測定した信号電力（以下、「測定電力」（PWR_IF）とする）と、ＲＦ回路部１０の各部におけるゲインとを加算することで、受信電力を算出する。ここで、ＲＦ回路部１０の各部におけるゲインとして、ＲＦアンプ１１のゲイン（以下、「ＲＦゲイン」（G_RF）とする）、ＩＦアンプ１５でのゲイン（以下、「ＩＦゲイン」（G_IF）とする）の他に、周波数変換部１２でのゲイン（以下、「ミキサゲイン」とする）と、アナログフィルタ１４でのゲイン（以下、「フィルタゲイン」とする）などがある。
【００３３】
ＲＦゲインとＩＦゲインについては、ゲイン制御機能２４０によっておこなわれるゲイン制御（詳細後述）によって規定されるので、その設定値を用いることができる。ミキサゲインとフィルタゲインについては、それぞれ、ＲＦアンプ１１の後段回路である周波数変換部１２とアナログフィルタ１４でのゲインであるため、ゲイン制御によって設定されたＲＦゲインとの対応関係から、ミキサゲインとフィルタゲインおよびその他ブロックのゲインなど（以下、これらを合わせて「ＥＸＴゲイン」（G_EXT）とする）が求められる。
【００３４】
したがって、本実施形態では、ＲＦゲインとＥＸＴゲインとの対応関係を示したテーブルなどのデータが記憶部２３に予め格納されているものとし、受信電力算出機能２１０は、このようなデータを参照することで、ＥＸＴゲインを求めるものとする。このデータが示す対応関係は、例えば、周波数変換部１２やアナログフィルタ１４の性能や特性などに基づいて規定されるものとする。なお、このような対応関係からＥＸＴゲインを求める方法に限られるものではなく、ＥＸＴゲインを実測する構成であってもよい。
【００３５】
受信電力算出機能２１０は、例えば、このようにして得られる各ゲインなどを用いて以下の数１を演算することで、受信装置１における受信電力（PWR_RF）を算出する。
【００３６】
（数１）
PWR_RF（dBm）= PWR_IF（dBm）+ G_RF（dB）+ G_IF（dB）+ G_EXT（dB）
【００３７】
復調機能２２０は、デジタルフィルタ２２によって希望周波数帯にフィルタリングされたデジタル信号を復調し、音声や映像などを示す再生信号を、再生動作などにかかる後段（不図示）に出力するとともに、受信品質検出のために、復調した信号を受信品質検出機能２３０に送出する。
【００３８】
受信品質検出機能２３０は、受信電力算出機能２１０によって算出された受信電力、ＡＤＣ２１によってデジタル信号に変換された受信信号、復調機能２２０によって復調された信号などに基づいて、受信装置１における受信品質を示す要素の検出（算出）をおこなう。
【００３９】
本実施形態における受信品質検出機能２３０は、例えば、受信電力算出機能２１０によって算出された受信電力の変動に基づいてマルチパスフェージングなどのフェージングの発生有無を検出する他、復調前の信号におけるＣ／Ｎ比（Carrier to Noise Ratio）の検出、復調信号におけるＢＥＲ（Bit Error Rate：ビット誤り率）の算出やＥＶＭ（Error Vector Magnitude：エラー・ベクトル振幅）の検出などをおこなう。これらの各要素の検出・算出は、デジタル回路を用いる既知の方法によってなされるものとする。
【００４０】
ゲイン制御機能２４０は、受信電力算出機能２１０によって算出された受信電力、および、受信品質検出機能２３０によって検出された受信品質に基づいて、ゲイン制御をおこなう。本実施形態では、ＲＦアンプ１１およびＩＦアンプ１５をゲイン制御機能２４０によって一括に制御することで、ＲＦゲインとＩＦゲインのそれぞれをほぼ同時に変更し、受信品質に応じた好適なゲイン配分とする例で説明する。この場合、ゲイン制御機能２４０は、ＲＦアンプ１１を制御する制御信号（AGC_RF）、ＩＦアンプ１５を制御する制御信号（AGC_IF）を生成し、ＡＧＣ部２４を介してＲＦアンプ１１とＩＦアンプ１５に送出することで、ゲイン制御がおこなわれる。
【００４１】
本実施形態では、このようなゲイン制御をおこなう際に、ゲイン制御機能２４０が記憶部２３にアクセスし、記憶部２３に予め格納されているデータを参照することで、ＲＦゲインとＩＦゲインのゲイン配分が決定されるものとする。
【００４２】
以上が本実施形態にかかる受信装置１の構成であるが、上記の各構成は本発明を実現するために必要な構成を示したものであり、受信装置として必要となるその他の構成などについては必要に応じて適宜備えられているものとする。
【００４３】
以上のような構成の受信装置１の動作例を以下に説明する。実施形態１にかかる受信装置１によって実行される「ゲイン制御処理（１）」を、図３に示すフローチャートを参照して説明する。この「ゲイン制御処理（１）」は、例えば、受信装置１が起動したことを契機に開始されるものとする。
【００４４】
処理が開始されると、ゲイン制御機能２４０により、受信動作開始時に設定するゲイン初期値が設定される（ステップＳ１０１）。ここでは、例えば、ＲＦゲインとＩＦゲインの分配比率についての初期値を設定する。本実施形態においては、例えば、図４（ａ）に示すような分配比率Ａ〜Ｅが予め規定されているものとする。すなわち、全体のゲインに対するＲＦゲインとＩＦゲインの割合を規定したものであり、分配比率を異ならせることにより、図４（ａ）に示すように受信特性が変化する。本実施形態では、このような分配比率を規定したデータが記憶部２３に格納されているものとする。
【００４５】
分配比率によって変化する受信特性としては、例えば、歪み特性と感度がある。ＲＦゲインの比率が低いほど歪みにくくなるが（歪み特性が良）、受信感度は低下し、ＲＦゲインの比率が高いほど受信感度は高くなるが、歪みやすくなる（歪み特性が悪）。このように、ＲＦゲインとＩＦゲインの比率により、歪み特性と感度が二律背反の関係で変化する。よって、受信品質に応じて分配比率を適正化することで、受信品質を高めるゲイン制御をおこなうことができる。
【００４６】
ここで、ステップＳ１０１においては、受信開始前の設定であるため、現在の環境下における受信品質は不明である。よって、ＲＦゲインとＩＦゲインに分配比率は、例えば、歪み特性と感度がともに中庸となる１：１の割合（分配比率Ｃ）が初期値として設定されるものとする。また、ＲＦゲイン（G_RF）とＩＦゲイン（G_IF）それぞれの値は、例えば、良好な受信状態のときに想定される受信電力に基づいて決定されるものとする。
【００４７】
ゲイン制御機能２４０が、このような初期値をＲＦアンプ１１およびＩＦアンプ１５に設定すると、受信装置１での受信動作が開始される（ステップＳ１０２）。受信動作が開始されると、設定された初期値でＲＦ回路部１０の各部が動作し、受信信号がＡＤＣ２１でデジタル信号に変換される。
【００４８】
受信電力算出機能２１０は、ＡＤＣ２１で変換された信号の信号電力（PWR_IF）を測定し、初期値として設定されたG_RFとG_IFおよびこれらに応じて決定されるＥＸＴゲイン（G_EXT）を用いて数１を演算することで、実際の受信電力（PWR_RF）を算出する（ステップＳ１０３）。
【００４９】
受信電力が算出されると、ゲイン制御機能２４０は、実際の受信電力に応じたゲイン制御をおこなう。ここでは、復調回路部２０への入力信号の電力レベルを一定にするため、受信電力がこのような所望入力レベルとなるよう、ＲＦゲインとＩＦゲインを調整する。例えば、復調回路部２０への入力レベルを「-５dBm」で一定にしたい場合において、ステップＳ１０３で算出された受信電力が「-6５dBm」である場合、ＲＦゲインとＩＦゲインを合わせた「+6０dB」のゲインが、必要な「トータルゲイン」ということになる。
【００５０】
この例の場合、ステップＳ１０１で設定したゲイン分配比率（ゲイン割合）が「１：１」であるため、ＲＦゲインが「3０dB」、ＩＦゲインが「3０dB」となる。ゲイン制御機能２４０は、このようなゲインとなるようＲＦ回路部１０とＩＦアンプ１５を制御する。すなわち、受信開始後に算出された受信電力に応じたＲＦゲインとなるようＲＦ回路部１０を制御し（ステップＳ１０４）、決定したゲイン分配比率に基づき、ＲＦゲインに応じたＩＦゲインとなるようＩＦアンプ１５を制御する（ステップＳ１０５）。
【００５１】
以上のような動作は受信電力に同期するようゲイン制御をおこなうものであり、受信開始時におこなうステップＳ１０１〜ステップＳ１０５の動作を、以下、「初期ゲイン同期」とする。
【００５２】
本実施形態では、受信装置１が移動体であるものとする。この場合、移動に伴い受信環境が刻々と変化し、受信品質も変動する。よって、本実施形態では、例えば、一定時間毎に周期的なゲイン制御（ＡＧＣ）をおこなうことで、受信品質の変動に応じたゲイン制御をおこなう。このようなゲイン制御（ＡＧＣ）の実行タイミングになると（ステップＳ１０６：Ｙｅｓ）、上述したステップＳ１０３〜ステップＳ１０５と同様の動作により、そのときの受信電力に応じたゲイン制御がおこなわれる（ステップＳ１０７、ステップＳ１０８）。なお、ステップＳ１０８の実行が初回となる場合、ゲイン分配比率は「１：１」（分配比率Ｃ）が適用されるものとする。
【００５３】
受信電力に応じたゲイン制御をおこなうと、ゲイン制御機能２４０は、受信品質の検出を受信品質検出機能２３０に指示する。ゲイン制御機能２４０からの指示に応じて、受信品質検出機能２３０は、受信品質の検出をおこなう（ステップＳ１０９）。
【００５４】
上述したように、本実施形態にかかる受信品質検出機能２３０は、例えば、フェージングの発生有無、Ｃ／Ｎ比の検出、ＢＥＲの算出、ＥＶＭの検出などをおこなう。受信品質検出機能２３０による検出結果はゲイン制御機能２４０に通知され、ゲイン制御機能２４０によって受信品質が判別される。
【００５５】
本実施形態では、例えば、各項目に設定されている基準値との比較により受信品質が判別されるものとする。この場合の判別方法は、受信装置１の仕様等に基づいて任意に定められるものとする。例えば、基準値よりも低い項目が１つでもあれば、受信品質が低いと判別するようにできる他、すべての項目もしくは一定数以上の項目が基準値より低い場合に受信品質が低いと判別することもできる。
【００５６】
また、受信品質検出機能２３０によって検出・算出される項目も、受信品質に関わるものであれば任意とすることができるが、少なくとも、妨害波による影響が現れる項目が含まれていることが望ましい。上記の例では、Ｃ／Ｎ比やＢＥＲなどが該当するものであり、本実施形態では、このような項目を含んだ検出によって受信品質が測られるものとする。すなわち、本実施形態にかかる受信品質検出機能２３０は、妨害波の影響による受信品質の変化を検出する。
【００５７】
ゲイン制御機能２４０は、受信品質検出機能２３０の検出結果に基づき、妨害波の影響による受信品質の低下があるか否かを判別する（ステップＳ１１０）。妨害波の影響による受信品質の低下がある場合（ステップＳ１１０：Ｙｅｓ）、ゲイン制御機能２４０は、ＲＦゲインを下げるゲイン制御をおこなう（ステップＳ１１１）。
【００５８】
ここでのゲイン制御には、例えば、図４（ｂ）に示すような「ゲインステートテーブル」を用いるものとする。このゲインステートテーブルは、ＲＦゲインを既定値で複数段設定したものであり、本実施形態では、例えば、３ビットで規定できる８段のステート（Ｇ０〜Ｇ７）が設定されているものとする。そして、ステートＧ０には、ＲＦゲインとして設定しうる最低値（例えば、-3０dB）が割り当てられ、ステートが１段上がる毎に、例えば、+１０dBずつゲインが高まるように割り当てられる（ステートＧ７で４０dB）。本実施形態では、このようなゲインステートテーブルが記憶部２３に格納されているものとする。
【００５９】
このようなゲインが割り当てられているゲインステートテーブルには、各ゲイン値に対応するＮＦ（Noise Figure）とIIP３（Input Intercept Point ３：入力３次インターセプトポイント）が併せて割り当てられているものとする。これらの項目には、例えば、ＲＦ回路部１０の性能などに基づいて、ゲイン値に対応して予め規定される数値が示されている。
【００６０】
ここで、ＮＦは、感度を示す指標となるものであり、数値が低いほど感度が良いことを示す。また、IIP３は、入力電力に対する３次歪み成分であり、数値が高いほど歪み特性が良いことを示している。
【００６１】
上述したように、受信品質検出機能２３０が検出する項目には、妨害波の影響が現れるものを含んでいるため、ステップＳ１１０で受信品質が低いと判別された場合、妨害波の影響によって受信品質が低下したことになる。このような妨害波による影響は、ゲインを上げるとさらに増幅されることになるため、受信品質が低いと判別された場合には、ＲＦゲインを下げるゲイン制御をおこなうことになる。
【００６２】
ここで、上述した例では、必要となるゲインが「６０dB」であり、ゲイン分配比率が「１：１」であるため、ＲＦゲインが「３０dB」、ＩＦゲインが「３０dB」となっている。この状況でＲＦゲインを下げることになるが、本実施形態では、図４（ｂ）に示したゲインステートテーブルを用いておこなう。すなわち、ＲＦゲインが「３０dB」となっているステートは「Ｇ６」であるから、１段低い「Ｇ５」にすることで、ＲＦゲインが下げられることになる。この場合、ＲＦゲインは「３０dB」から「２０dB」に下げられる。
【００６３】
この場合でも、必要となるトータルゲインは「６０dB」で変わらないので、ＲＦゲインを「２０dB」にした場合のＩＦゲインは「４０dB」となる。すなわち、ＲＦゲインとＩＦゲインの分配比率は、図４（ａ）に示す「１：１」（分配比率Ｃ）から「１：２」（分配比率Ｂ）に変化することになる（ステップＳ１１２）。
【００６４】
つまり、ゲイン制御機能２４０は、このように決定したＲＦゲインと必要となるトータルゲインに基づいて、ＲＦアンプ１１およびＩＦアンプ１５を制御することで、結果的に適切な分配比率で、受信品質に応じたゲイン制御をおこなう（ステップＳ１１１、ステップＳ１１２）。
【００６５】
ここで、ＲＦゲインに対応するIIP３は、図４（ｂ）に示すように、ＲＦゲインを下げると数値が上がる対応関係となっている。よって、受信品質検出機能２３０の検出値と所定の基準値との比較により、妨害波の影響による受信品質の低下がみられると判別した場合のゲイン制御は、換言すると、歪み特性を向上させるより高いIIP３となるようにＲＦゲインを決定していることになる。
【００６６】
一方、受信品質検出機能２３０の検出値と所定の基準値との比較により、妨害波の影響による受信品質の低下がないと判別した場合（ステップＳ１１０：Ｎｏ）は、ステップＳ１１２の処理、すなわち、ＲＦゲインを下げてIIP３を高めるゲイン制御はおこなわない。この場合、ステップＳ１０８で設定したＲＦゲインとＩＦゲインが維持される。
【００６７】
以上のような動作をＡＧＣの実行タイミング毎におこなうことで（ステップＳ１１３：Ｎｏ、ステップＳ１０６：Ｙｅｓ）、受信品質の変化に応じたゲイン制御がおこなわれる。すなわち、連続的に受信品質が低下し続ける傾向にある場合には、ゲインステートを順次下げていくゲイン制御がおこなわれることになる。
【００６８】
なお、ステップＳ１１１およびステップＳ１１２でゲイン制御をおこなった後に実行されるステップＳ１０８においては、ステップＳ１１２で決定されたゲイン分配比率となるようにＲＦゲインとＩＦゲインが設定されることになる。すなわち、ステップＳ１０７で算出された受信電力が前回算出時から変化している場合、新たに算出した受信電力から求められるゲインを、ステップＳ１１２で決定した分配比率となるようＲＦアンプ１１とＩＦアンプ１５が制御される。
【００６９】
そして、所定の終了タイミング（例えば、受信装置１の電源オフなど）の発生により（ステップＳ１１３：Ｙｅｓ）、本処理は終了し、次回起動時にはステップＳ１０１からの処理が開始される。
【００７０】
以上説明したように、本実施形態によれば、受信装置でゲイン制御をおこなう際に、受信電力に応じた好適なゲイン分配をおこなった上で、そのときの受信品質に基づいたゲイン分配の調整をおこなうので、受信品質の変動に応じて好適なゲイン制御をおこなうことができる。
【００７１】
この場合において、特に、妨害波の影響が現れる受信品質を検出してゲイン制御に反映させているので、妨害波混入時においても適切なゲイン制御をおこなうことができる。
【００７２】
このような受信品質に応じたゲイン制御をおこなう際に、ゲインステートテーブルを用いてＲＦゲインを変更することで、効率的なゲイン制御を容易に実現することができる。
【００７３】
なお、上記実施形態においては、主に、妨害波の影響を考慮した動作例を示したが、妨害波の影響への対応に偏重してしまうと感度低下を招く可能性がある。よって、上述した処理において、例えば、閾値との比較により受信電力が著しく低下したことが判別された場合には、感度を向上させるゲイン制御、すなわち、ＲＦゲインを上げるゲイン制御を併せておこなうようにしてもよい。
【００７４】
また、上記実施形態においては、理解を容易にするために、ＲＦゲインとＩＦゲインのそれぞれをほぼ同時に変更する例で説明したが、ＲＦゲインが変更され、その後の一定の時間内でＩＦゲインが決定されるようにしてもよい。
【００７５】
（実施形態２）
上記実施形態１で例示した動作は、受信品質の低下が検出されたことを契機にゲイン制御をおこなう、いわば受動的な動作であったが、能動的にゲイン変更を試行し、これによる受信品質の変化を検出してゲイン制御をおこなうこともできる。本実施形態では、このような動作の例を以下に説明する。
【００７６】
本実施形態にかかる「ゲイン制御処理（２）」を、図５に示すフローチャートを参照して説明する。上述した実施形態１での「ゲイン制御処理（１）」と同様、受信装置１が起動したことを契機に処理が開始されるものとする。なお、受信装置１の構成は、実施形態１で示したものと同じである。
【００７７】
処理が開始されると、「ゲイン制御処理（１）」と同様に初期ゲイン同期がおこなわれる（ステップＳ２０１）。ここでは、「ゲイン制御処理（１）」のステップＳ１０１〜ステップＳ１０５と同様の動作（初期ゲイン同期）が実行される。
【００７８】
このようにして、受信開始時の受信電力に応じたゲイン同期がおこなわれ、周期的なゲイン制御（ＡＧＣ）の実行タイミングが到来すると（ステップＳ２０２：Ｙｅｓ）、「ゲイン制御処理（１）」のステップＳ１０７〜ステップＳ１０８と同様の動作により、そのときの受信電力に応じたゲイン制御がおこなわれる（ステップＳ２０３）。
【００７９】
この段階で、ゲイン制御機能２４０は、受信品質の検出をおこなうよう受信品質検出機能２３０に指示し、この指示に応じて、受信品質検出機能２３０は、受信品質の検出をおこなう（ステップＳ２０４）。本実施形態では、ここで検出した各項目の検出値が、例えば、復調部２００が用いるＲＡＭやレジスタなどの記憶装置に保持されるものとする。
【００８０】
受信品質の検出がおこなわれると、ゲイン制御機能２４０は、記憶部２３に格納されているゲインステートテーブル（図４（ｂ））を参照し、現在のゲイン制御にて設定されているＲＦゲインに対応するゲインステートを確認する（ステップＳ２０５）。例えば、受信電力から求められた必要ゲイン（トータルゲイン）が「６０dB」であり、ゲイン分配比率が「１：１」である場合には、ＲＦゲインが「３０dB」となるので、ゲインステートは「Ｇ６」となる。（実際には、設定されているＲＦゲインと、トータルゲインからＩＦゲインが決定され、結果的にゲイン分配比率が決まる。）
【００８１】
ここで、本実施形態にかかるゲインステートテーブルでは、図４（ｂ）に示すように、Ｇ０〜Ｇ７の８段のステートが規定されているので、Ｇ０〜Ｇ３の４段を下位ステート、Ｇ４〜Ｇ７の４段を上位ステートと分け、ステップＳ２０５で確認されたゲインステートが上位ステートであるか下位ステートであるかを判別する（ステップＳ２０６）。
【００８２】
上述した例では、現在のゲインステートが「Ｇ６」であるため、上位ステートであると判別される（ステップＳ２０６：Ｙｅｓ）。この場合、ゲイン制御機能２４０は、ＲＦゲインのゲインステートを１段下げるゲイン制御を試行する（ステップＳ２０７）。つまり、上位ステートでは比較的高いゲインが設定されているので、ＲＦゲインが高ゲインの場合の特性とは逆の特性となる方向にゲインステートを１段変更する。
【００８３】
ここで、現在のゲインステートが「Ｇ６」である場合、１段下の「Ｇ５」とする。この場合のＲＦゲインは「２０dB」となるので、ゲイン制御機能２４０は、必要ゲイン（トータルゲイン）とＲＦゲインからＩＦゲインが決定され、結果的にゲイン分配比率が決まる。そして、対応する制御信号をＲＦ回路部１０およびＩＦアンプ１５に送出することで、能動的にゲインを変更する。
【００８４】
このようなゲイン変更をおこなうと、ゲイン制御機能２４０は、受信品質の検出を受信品質検出機能２３０に指示する。この指示に応じて、受信品質検出機能２３０は、受信品質の検出動作をおこなってゲイン制御機能２４０に通知する（ステップＳ２０９）。
【００８５】
ゲイン制御機能２４０は、通知された受信品質の検出値と、ステップＳ２０４でおこなった受信品質検出の結果とを比較することで、ステップＳ２０７でおこなったゲイン変更により受信品質が低下したか否かを判別する（ステップＳ２１０）。
【００８６】
ここで、ステップＳ２０４での検出結果よりステップＳ２０９での検出結果の方が悪く、受信品質が低下したと判別すると（ステップＳ２１０：Ｙｅｓ）、ゲイン制御機能２４０は、ステップＳ２０７でおこなったゲイン変更を元に戻す（ステップＳ２１１）。つまり、ＲＦゲインのゲインステートを「Ｇ６」から「Ｇ５」にした場合、再度「Ｇ６」となるようにＲＦゲインとＩＦゲインを変更する。
【００８７】
一方、受信品質が低下していない場合には（ステップＳ２１０：Ｎｏ）、このような元に戻す動作はおこなわず、ステップＳ２０７でおこなったゲイン変更を維持する。
【００８８】
なお、ステップＳ２０５で確認されたゲインステートが下位ステートである場合には（ステップＳ２０６：Ｎｏ）、上位ステートである場合とは逆に、ゲインステートを１段上げるゲイン変更がおこなわれる（ステップＳ２０６）。すなわち、比較的低いゲインが設定されているので、この場合の特性とは逆の特性となる方向にＲＦゲインを１段変更し、これに対応するＩＦゲインとなるようゲイン変更する。
【００８９】
この場合も、ゲイン変更の前後で受信品質を比較し（ステップＳ２０９）、受信品質が低下していれば（ステップＳ２１０：Ｙｅｓ）、ゲインステートを元に戻し（ステップＳ２１１）、低下していなければ（ステップＳ２１０：Ｎｏ）、変更したゲインを維持する。
【００９０】
このような動作をＡＧＣの実行タイミング毎におこなうことで（ステップＳ２１２：Ｎｏ、ステップＳ２０２：Ｙｅｓ）、能動的なゲイン変更によるゲイン制御がおこなわれる。
【００９１】
そして、所定の終了タイミングの発生により（ステップＳ２１２：Ｙｅｓ）、処理を終了する。
【００９２】
以上説明したように、本実施形態によれば、能動的にゲイン変更を試行し、ゲイン変更によって受信品質が低下する場合のみ元に戻す動作をおこなうので、ゲイン変更の試行により受信品質が低下しない場合には、受信品質をより向上させるゲイン制御を能動的におこなうことができる。すなわち、実施形態１で例示したような、受信品質が低いことが検出されたことに応じてゲイン制御をおこなう場合に比べ、受信品質を向上させる可能性を高めることができる。
【００９３】
なお、上記実施形態では、ゲイン変更の試行によって受信品質が低下した場合、ゲインステートを元に戻すものとしたが、例えば、ゲインステートを１段変更する試行をおこなって受信品質が低下した場合には２段戻すようにしてもよい。これにより、受信品質を低下させる結果となったゲインステート変更とは逆方向にゲインステートを変更して試行することができるので、受信品質を向上させる可能性をより高めることができる。
【００９４】
（実施形態３）
上記各実施形態では、受信品質検出機能２３０がフェージング、Ｃ／Ｎ比、ＢＥＲ、ＥＶＭなどを検出することで受信品質を判別する動作例を示した。この場合、上述したように、妨害波の混入による影響を検出できるような項目を採用した。本実施形態では、このような妨害波の混入による影響を、アナログフィルタ１４の帯域特性を変更することで検出する。この場合の構成と動作例を以下に説明する。
【００９５】
本実施形態にかかる受信装置１の構成を図６に示す。図示するように、本実施形態では、復調部２００からの制御信号（CTRL_FL）が、ＡＧＣ部２４を介してアナログフィルタ１４にも送出される構成となっている。本実施形態では、アナログフィルタ１４として、帯域特性を変更可能なフィルタが用いられるものとする。この場合、濾波させる周波数帯域を変更可能なフィルタであるものとする。
【００９６】
ここで、受信装置１がデジタル放送の受信に用いられる場合、受信を所望するチャネル（希望チャネル）の隣接チャネルに相当する周波数が妨害波となることがあり、このような妨害波が混入することで受信品質が低下する場合がある。
【００９７】
このような妨害波をアナログフィルタ１４で除去することもできるが、この場合、希望チャネルの帯域と隣接チャネルの帯域をカバーする帯域のフィルタに、それぞれある程度急峻な特性を持たせることが必要となる。
【００９８】
本実施形態では、上述したような、周波数帯域を変更できるアナログフィルタ１４を用いることで、妨害波の混入を検出するときのみ広帯域フィルタを用いるように切り替えることで、通常時は本来のフィルタの特性を確保するとともに、確実に妨害波を検出するようにする。
【００９９】
本実施形態では、このような切替動作を復調回路部２０によっておこなう。この場合に復調回路部２０によって実現される機能を図７（ａ）に示す。図７（ａ）に示すように、本実施形態にかかる復調部２００によって実現される機能構成の一部が、上記各実施形態で示したものと異なる。本実施形態では、受信品質検出機能２３０に代えて、フィルタ切替機能２５０が復調部２００によって実現される。
【０１００】
フィルタ切替機能２５０は、制御信号を、ＡＧＣ部２４を介してアナログフィルタ１４に送出することで、アナログフィルタ１４の帯域特性を切り替える。本実施形態では、例えば、図７（ｂ）に示すような、希望チャネルの１チャネル分の帯域をカバーする特性のフィルタ（以下、「通常フィルタ」とする）と、図７（ｃ）に示すような、希望チャネルの１チャネル分と隣接チャネルの一部を含む帯域をカバーする広帯域特性のフィルタ（以下、「広帯域フィルタ」とする）とを切り替える。ここで、通常フィルタの帯域は、デジタルフィルタ２２の帯域とほぼ同じものとすることができる。よって、アナログフィルタ１４の広帯域フィルタは、デジタルフィルタ２２の帯域よりも広い帯域特性をもっているということになる。
【０１０１】
アナログフィルタ１４におけるフィルタ特性の切替方法は任意であり、例えば、アナログフィルタ１４が１チップで構成されており、帯域特性を論理的に変更できる場合には、切替にかかる制御信号をアナログフィルタ１４に送出してフィルタ特性を切り替える。また、特性の異なるフィルタ回路を２つ用意する場合には、フィルタ回路への入力を切り替えるスイッチに対し、切替のための制御信号が送出される。
【０１０２】
ここで、通常の動作時には、図７（ｂ）に示したような通常フィルタを用いるが、妨害波の混入があるか検出する際には、フィルタ切替機能２５０がアナログフィルタ１４を制御することで、図７（ｃ）に示すような広帯域フィルタに切り替えられる。この広帯域フィルタは、隣接チャネルの一部の帯域をカバーしている。よって、隣接チャネルが妨害波となっている場合、隣接チャネル帯域の電力も通過させるので、図７（ｃ）に示すように、隣接チャネルの成分が、デジタルフィルタ２２での濾波前後の電力差によって検出することができる。
【０１０３】
例えば、本実施形態にかかる受信装置１の受信対象が、いわゆるフルセグメント（フルセグ）放送とした場合、受信装置１は、１つのチャネルに割り当てられた周波数帯域のすべて（全帯域）を受信する。このような全帯域受信の場合、希望チャネルの電力はすべて希望周波数帯に存在するので、希望周波数帯以外の電力はすべて不要な周波数成分となる。
【０１０４】
アナログフィルタ１４が広帯域フィルタである場合、隣接チャネルの一部を含む帯域で濾波された信号が復調回路部２０に入力されており、このような信号をデジタルフィルタ２２が希望周波数帯に濾波しているので、デジタルフィルタ２２による濾波をおこなう前の信号には、妨害波の周波数成分が混入している。よって、このような濾波前信号と、デジタルフィルタ２２によって希望周波数帯に濾波された濾波後信号とを比較することで、妨害波の電力割合を推定することができる。
【０１０５】
すなわち、妨害波検出機能２４０によって算出される電力差は、このような妨害波の電力割合を示す。すなわち、妨害波電力の割合が高い場合、妨害波もしくは妨害波による歪みが多く含まれているということになる。このような場合、妨害波検出機能２４０によって算出される電力差は大きくなる。一方、妨害波電力の割合が低い場合は、妨害波検出機能２４０によって算出される電力差は小さくなる。したがって、妨害波検出機能２４０は、算出した電力差の値と閾値とを比較し、閾値よりも電力差の値が大きい場合に、妨害波が存在すると判別する。
【０１０６】
このため、本実施形態では、図７（ａ）に示すように、受信電力算出機能２１０には、デジタルフィルタ２２による濾波前後の信号が入力されるよう構成する。
【０１０７】
ゲイン制御機能２４０には、受信電力算出機能２１０が算出した濾波前後の電力が通知される。ゲイン制御機能２４０は、デジタルフィルタ２２での濾波前後の電力差を算出することで、妨害波の混入があるか否かを判別することができる。すなわち、デジタルフィルタ２２の帯域より広い帯域としたアナログフィルタ１４を通過した信号について、デジタルフィルタ２２の濾波前後の電力差を求めることで、妨害波の検出をおこなう。ここで、妨害波の混入により受信品質が低下するので、ゲイン制御機能２４０による妨害波の検出は、換言すると、受信品質の検出をおこなっていることになる。
【０１０８】
以上のような構成を有する本実施形態にかかる受信装置１によって実行される「ゲイン制御処理（３）」を、図８に示すフローチャートを参照して説明する。この「ゲイン制御処理（３）」は、上記各実施形態で例示した処理と同様、受信装置１が起動したことを契機に開始されるものとする。
【０１０９】
処理が開始されると、上記各実施形態と同様、初期ゲイン同期がおこなわれ（ステップＳ３０１）、ゲイン制御（ＡＧＣ）の実行タイミングとなると（ステップＳ３０２：Ｙｅｓ）、受信電力に応じたゲイン制御がおこなわれる（ステップＳ３０３）。
【０１１０】
ここでゲイン制御機能２４０は、隣接チャネルが妨害波として混入しているか検出するため、アナログフィルタ１４の特性を広帯域フィルタに切り替えるよう、フィルタ切替機能２５０に指示する。フィルタ切替機能２５０は、ゲイン制御機能２４０からの指示に応じて制御信号（CTRL_FL）を送出することで、アナログフィルタ１４のフィルタ特性を広帯域フィルタに切り替える（ステップＳ３０４）。
【０１１１】
アナログフィルタ１４のフィルタ特性を切り替えると、フィルタ切替機能２５０は、その旨をゲイン制御機能２４０に通知する。この通知に応じて、ゲイン制御機能２４０は、受信電力算出機能２１０に対し、デジタルフィルタ２２での濾波前後の信号電力の算出をおこなうよう指示する。
【０１１２】
ゲイン制御機能２４０からの指示に応じて、受信電力算出機能２１０は、デジタルフィルタ２２での濾波前後の信号電力を算出して、ゲイン制御機能２４０に通知する。
【０１１３】
ゲイン制御機能２４０は、受信電力算出機能２１０から通知された、デジタルフィルタ２２での濾波前後の信号電力の差分を算出することで、隣接チャネルによる妨害波の検出をおこなう（ステップＳ３０５）。このような妨害波の検出動作をおこなうと、ゲイン制御機能２４０は、アナログフィルタ１４のフィルタ特性を通常フィルタに戻すようフィルタ切替機能２５０に指示する。フィルタ切替機能２５０は、ゲイン制御機能２４０からの指示に応じて、アナログフィルタ１４のフィルタ特性を切り替える制御信号（CTRL_FL）を送出し、広帯域フィルタから通常フィルタに戻す（ステップＳ３０６）。
【０１１４】
ゲイン制御機能２４０は、ステップＳ３０５での妨害波検出動作により、隣接チャネルによる妨害波の混入があるか否かを判別し（ステップＳ３０７）、妨害波の混入があると判別した場合には（ステップＳ３０７：Ｙｅｓ）、ＲＦゲインを下げるゲイン制御をおこなう（ステップＳ３０８）。この場合、例えば、ゲインステートテーブル（図４（ｂ））に基づいて、ＲＦゲインについてのゲインステートを１段下げる、すなわち、より高IIP３となるようＲＦゲインを設定し、設定したＲＦゲインに応じた分配比率となるようＩＦゲインを設定する。
【０１１５】
以上のような動作を、ＡＧＣの実行タイミング毎におこなうことで（ステップＳ３０９：Ｎｏ、ステップＳ３０２：Ｙｅｓ）、妨害波の検出動作をおこなう場合にのみデジタルフィルタ２２を広帯域フィルタにし、妨害波が検出された場合には、ＲＦゲインを下げるゲイン制御がおこなわれる。
【０１１６】
そして、所定の終了イベントの発生により（ステップＳ３０９：Ｙｅｓ）、本処理を終了する。
【０１１７】
以上説明したように、本実施形態によれば、妨害波の検出動作をおこなう場合にのみ広帯域フィルタを用いるように制御するので、通常時の本来のフィルタ特性を確保しつつ、妨害波の検出を確実におこなうことができる。
【０１１８】
この場合において、妨害波が検出された際には、妨害波による受信品質の低下に応じたゲイン制御をおこなうので、適切に受信品質の向上を図ることができる。
【０１１９】
すなわち、本発明を上記各実施形態の如く適用することで、携帯型の受信装置に好適となる適切なゲイン制御を容易に実現することができる。
【０１２０】
上記実施形態は一例であり、本発明の適用範囲はこれに限られない。すなわち、種々の応用が可能であり、あらゆる実施の形態が本発明の範囲に含まれる。
【０１２１】
例えば、上記実施形態では、周波数変換部１２でＲＦ周波数からＩＦ周波数に変換するものとしたが、変換後の周波数帯域がベースバンド（Base Band：ＢＢ）帯域であってもよい。この場合、ＬＰＦに代え、バンドパスフィルタ（Band-Pass Filter：ＢＰＦ）によってアナログフィルタ１４を構成し、ＩＦＶＧＡに代え、ＢＢＶＧＡ（Base Band VGA）によってＩＦアンプ１５を構成し、ＤＬＰＦに代え、ＤＢＰＦ（デジタルＢＰＦ）によってデジタルフィルタ２２を構成すればよい。
【０１２２】
また、上記実施形態では、復調部２００によってゲイン制御にかかる各機能が実現されるものとしたが、復調機能を担う回路とは独立したデジタル回路（プロセッサ）によって実現されるように構成してもよい。
【０１２３】
また、上記の各実施形態で例示した構成や動作を組み合わせてもよい。例えば、実施形態１で例示した受信品質の検出と、実施形態３で例示した妨害波の検出を併せておこなうようにしてもよい。あるいは、実施形態２で例示した能動的なゲイン変更をおこなってから、実施形態３で例示した妨害波の検出動作をおこなうようにしてもよい。
【０１２４】
なお、上記各実施形態では、周期的なゲイン制御タイミングで動作する場合を例示したが、ゲイン制御の実行タイミングは任意であり、上述した例に限られるものではない。例えば、受信品質の検出動作や妨害波の検出動作を随時おこない、受信品質の低下や妨害波が検出されたことを契機にゲイン制御動作をおこなうようにしてもよい。
【０１２５】
なお、上記実施形態の受信装置１と同様の機能や構成を予め備えた受信装置によって本発明を実現できることはもとより、既存の受信装置のデジタル回路にプログラムを適用することで、本発明にかかる受信装置として機能させることもできる。この場合、上記実施形態で例示した復調部２００と同様のコンピュータ（ＣＰＵなど）に、上述した機能と同様の機能を実現させるためのプログラムを実行させることで、本発明にかかる受信装置として機能させることができる。
【０１２６】
このようなプログラムの適用方法は任意であり、例えば、ＣＤ−ＲＯＭやメモリカードなどの記憶媒体に格納して適用できる他、例えば、インターネットなどの通信媒体を介して適用することもできる。
【０１２７】
以上、本発明のいくつかの実施形態を説明したが、本発明を適用し得る実施形態は、特許請求の範囲に記載された発明とその均等の範囲に含まれる。以下に、本願の出願当初の特許請求の範囲に記載された発明を付記する。
【０１２８】
（付記１）
受信波を高周波数にて増幅する第１の増幅器と、前記第１の増幅器の周波数帯から後段の周波数帯への周波数変換をおこなう周波数変換器と、前記周波数変換器で周波数変換された信号を増幅する第２の増幅器と、前記第２の増幅器で増幅された信号を復調する復調器と、を備える受信装置において、
前記復調器は、
前記第２の増幅器からの出力信号に基づいて、前記受信装置の受信信号の電力を算出する電力算出手段と、
妨害波の影響による前記受信信号の受信品質を検出する受信品質検出手段と、
前記電力算出手段が算出した電力と前記受信品質検出手段の検出結果とに基づいて、前記妨害波による影響を判別し、該妨害波による影響があると判別した場合に、前記第１の増幅器と前記第２の増幅器とのゲイン割合を制御するゲイン制御手段と、を備える、
ことを特徴とする受信装置。
【０１２９】
（付記２）
前記ゲイン制御手段は、
前記受信品質検出手段による検出結果に基づいて、前記受信信号に妨害波の影響があると判別した場合には、前記第１の増幅器での歪み特性が向上するように前記ゲイン割合を制御する、
ことを特徴とする付記１に記載の受信装置。
【０１３０】
（付記３）
前記受信品質検出手段は、前記復調器の入出力信号から、妨害波によって低下する事項の検出をおこない、
前記ゲイン制御手段は、前記受信品質検出手段が検出した事項によって受信品質が所定の閾値よりも低い場合に、前記ゲイン割合の制御をおこなう、
ことを特徴とする付記１または２に記載の受信装置。
【０１３１】
（付記４）
前記周波数変換器で周波数変換された信号を濾波する第１のフィルタと、
前記第２の増幅器で増幅された信号が希望周波数帯となるよう濾波する第２のフィルタと、
前記第１のフィルタの帯域特性として、希望チャネルの周波数帯域分をカバーする第１の帯域特性と、該希望チャネルと隣接チャネルの一部を含む周波数帯域分をカバーする第２の帯域特性とを切り替える帯域切替手段と、
をさらに備え、
前記電力算出手段は、前記第１のフィルタの帯域特性が前記第２の帯域特性に切り替えられた後に、前記第２のフィルタによる濾波前の信号電力と、該第２のフィルタによる濾波後の信号電力とを算出し、
前記ゲイン制御手段は、前記第２のフィルタによる濾波前の信号電力と、前記第２のフィルタによる濾波後の信号電力との差分から、妨害波が混入していると判別した場合に前記ゲイン割合の制御をおこない、
前記帯域切替手段は、前記ゲイン制御手段による妨害波の検出動作後に、前記第１のフィルタの帯域特性を、前記第２の帯域特性から前記第１の帯域特性に切り替える、
ことを特徴とする付記１乃至３のいずれか１つに記載の受信装置。
【０１３２】
（付記５）
前記復調器は、前記ゲイン割合を能動的に変更するゲイン変更手段をさらに備え、
前記ゲイン制御手段は、前記ゲイン変更手段が前記ゲイン割合を変更した後に、前記妨害波による影響を判別する、
ことを特徴とする付記１乃至４のいずれか１つに記載の受信装置。
【０１３３】
（付記６）
前記第１の増幅器のゲインを複数段設定したゲインステートテーブルを格納する記憶手段をさらに備え、
前記ゲイン制御手段、及び／又は、前記ゲイン変更手段は、前記記憶手段に格納された前記ゲインステートテーブルに基づいて、前記第１の増幅器のゲインを決定する、
ことを特徴とする付記５に記載の受信装置。
【０１３４】
（付記７）
受信波を高周波数にて増幅する第１の増幅器と、前記第１の増幅器の周波数帯から後段の周波数帯への周波数変換をおこなう周波数変換器と、前記周波数変換器で周波数変換された信号を増幅する第２の増幅器と、前記第２の増幅器で増幅された信号を復調する復調器と、を備える受信装置を制御するコンピュータに、
前記第２の増幅器からの出力信号に基づいて、前記受信装置の受信信号の電力を算出する機能と、
妨害波の影響による前記受信信号の受信品質を検出する機能と、
前記算出された電力と前記検出の結果とに基づいて、前記妨害波による影響を判別し、該妨害波による影響があると判別した場合に、前記第１の増幅器と前記第２の増幅器とのゲイン割合を制御する機能と、
を実現させることを特徴とするプログラム。
【符号の説明】
【０１３５】
１…受信装置、１０…ＲＦ回路部、１１…ＲＦアンプ、１２…周波数変換部、１３…ローカル発振器、１４…アナログフィルタ、１５…ＩＦアンプ、２０…復調回路部、２１…ＡＤＣ、２２…デジタルフィルタ、２３…記憶部、２４…ＡＧＣ部、２００…復調部、２１０…受信電力算出機能、２２０…復調機能、２３０…受信品質検出機能、２４０…ゲイン制御機能、２５０…フィルタ切替機能
【図１】
2015201890.tif 000003
【図２】
2015201890.tif 000004
【図３】
2015201890.tif 000005
【図４】
2015201890.tif 000006
【図５】
2015201890.tif 000007
【図６】
2015201890.tif 000008
【図７】
2015201890.tif 000009
【図８】
2015201890.tif 000010
【手続補正書】
【提出日】平成27年7月23日(2015.7.23)
【手続補正２】
【補正対象書類名】明細書
【補正対象項目名】０００１
【補正方法】変更
【補正の内容】
【０００１】
本発明は、受信装置、電波受信方法、および、プログラムに関する。
【手続補正３】
【補正対象書類名】明細書
【補正対象項目名】００１０
【補正方法】変更
【補正の内容】
【００１０】
本発明は、上記実状を鑑みてなされたものであり、受信環境に応じた適切な受信制御を実現できる受信装置、電波受信方法、および、プログラムを提供することを目的とする。
【手続補正４】
【補正対象書類名】明細書
【補正対象項目名】００１１
【補正方法】変更
【補正の内容】
【００１１】
上記目的を達成するため、本発明の第１の観点にかかる受信装置は、
所定の周波数帯域幅の電波を通過させる第１帯域特性と前記第１帯域特性よりも広い周波数帯域幅を通過させる第２帯域特性とを備える可変帯域特性フィルタと、
前記可変帯域特性フィルタの帯域特性として前記第１帯域特性又は前記第２帯域特性のいずれかを設定するフィルタ特性設定手段と、
を備える、
ことを特徴とする。
【手続補正５】
【補正対象書類名】明細書
【補正対象項目名】００１２
【補正方法】変更
【補正の内容】
【００１２】
本発明によれば、受信環境に応じた適切な受信制御をおこなえる受信装置を実現することができる。
【手続補正６】
【補正対象書類名】特許請求の範囲
【補正対象項目名】全文
【補正方法】変更
【補正の内容】
【特許請求の範囲】
【請求項１】
所定の周波数帯域幅の電波を通過させる第１帯域特性と前記第１帯域特性よりも広い周波数帯域幅を通過させる第２帯域特性とを備える可変帯域特性フィルタと、
前記可変帯域特性フィルタの帯域特性として前記第１帯域特性又は前記第２帯域特性のいずれかを設定するフィルタ特性設定手段と、
を備えることを特徴とする受信装置。
【請求項２】
所定の周波数帯域幅の電波を通過させるフィルタと、
前記所定の周波数帯域幅を設定するフィルタ特性設定手段と、
を備えることを特徴とする受信装置。
【請求項３】
前記所定の周波数帯域幅は、第１帯域特性と前記第１帯域特性よりも広い周波数帯域幅を通過させる第２帯域特性とがあることを特徴とする請求項２記載の受信装置。
【請求項４】
前記第２帯域特性は、前記所定の周波数帯域と隣接する周波数帯域成分を含む周波数帯域幅を通過させることを特徴とする請求項１〜３のいずれか一項に記載の受信装置。
【請求項５】
所定の周波数帯域幅を通過させる第１帯域特性と前記第１帯域特性よりも広い周波数帯域幅を通過させる第２帯域特性とを備える可変帯域特性フィルタを用いた制御手段による電波受信方法であって、
前記可変帯域特性フィルタの帯域特性として前記第１帯域特性又は前記第２帯域特性のいずれかを設定するフィルタ特性設定ステップ、
を含むことを特徴とする電波受信方法。
【請求項６】
所定の周波数帯域幅の電波を通過させるフィルタを用いた制御手段による電波受信方法であって、
前記所定の周波数帯域幅を設定するフィルタ特性設定ステップ、
を含むことを特徴とする電波受信方法。
【請求項７】
所定の周波数帯域幅を通過させる第１帯域特性と前記第１帯域特性よりも広い周波数帯域幅を通過させる第２帯域特性とを備える可変帯域特性フィルタを備えたコンピュータを、
前記可変帯域特性フィルタの帯域特性として前記第１帯域特性又は前記第２帯域特性のいずれかを設定するフィルタ特性設定手段、
として機能させることを特徴とするプログラム。
【請求項８】
所定の周波数帯域幅の電波を通過させるフィルタを備えたコンピュータを、
前記所定の周波数帯域幅を設定するフィルタ特性設定手段、
として機能させることを特徴とするプログラム。